(57)【要約】【課題】  弾性クリップの本体部分を構造体に固定する弾性クリップファスナを提供する。【解決手段】  トリム構成要素のドッグハウス型連結形態と係合するための弾性クリップ。弾性クリップは、本体パネルに形成された穴に係合するための嵌合部材を有する。弾性クリップは、連結領域に対して配置された三角形嵌合形態を含む。三角形嵌合形態は、ドッグハウス構造体の少なくとも１つの表面に接触し、ドッグハウスに対する弾性クリップの回転を最小にする。これによって本体パネルに形成された穴に対する弾性クリップの回転が低減される。【選択図】          図１
2005003201.tif 000002
【特許請求の範囲】
【請求項１】
ドッグハウス係合形態を有する構成要素を開口に連結するためのファスナであって、
開口と嵌合するように構成されたロック用部分と、ドッグハウス係合部分とを有する本体部分、
を含み、
前記ドッグハウス係合部分は、前記本体部分に連結された係合フランジを形成し、
前記係合フランジは、前記本体の前記ドッグハウスに対する回転を最小にするために、該ドッグハウス上に形成された係合表面と接触するように構成された、
ことを特徴とするファスナ。
【請求項２】
前記本体は、前記ドッグハウス係合部分に連結された傘部材を含み、該傘部材は、前記開口を流体密封するように構成されたことを特徴とする請求項１に記載のファスナ。
【請求項３】
前記ロック用部分は、前記開口と係合するように構成された歯を各々が形成する複数の変形可能部材を含むことを特徴とする請求項１に記載のファスナ。
【請求項４】
前記変形可能部材は、前記傘部材に連結されたことを特徴とする請求項３に記載のファスナ。
【請求項５】
前記変形可能部材は、楔状部分に連結されたことを特徴とする請求項３に記載のファスナ。
【請求項６】
前記係合フランジは、前記ドッグハウスによって形成された三角形挿入スロットと連結するように構成されたことを特徴とする請求項１に記載のファスナ。
【請求項７】
前記係合フランジは、三角形フランジであることを特徴とする請求項６に記載のファスナ。
【請求項８】
前記係合部分は、前記ドッグハウスによって形成された開口と連結するように構成された円筒体を形成することを特徴とする請求項１に記載のファスナ。
【請求項９】
前記ドッグハウス係合部分は、前記傘部分に連結されたことを特徴とする請求項８に記載のファスナ。
【請求項１０】
前記変形可能フランジは、楔状部材によって連結されたことを特徴とする請求項８に記載のファスナ。
【請求項１１】
前記本体部分は、前記開口内へのファスナの挿入を制限するように構成された支持部材を含むことを特徴とする請求項８に記載のファスナ。
【請求項１２】
前記傘は、ほぼ楕円形の基部及び楕円形の変形可能部分を形成することを特徴とする請求項８に記載のファスナ。
【請求項１３】
フランジ付き構成要素を開口に連結するためのファスナであって、
開口と嵌合するように構成されたロック用部分と、ドッグハウス係合部分とを有する本体部分、
を含み、
前記ドッグハウス係合部分は、前記本体部分に連結した三角形係合部材と、一対の係合表面とを含み、
前記係合表面の少なくとも一方は、前記本体の前記ドッグハウスに対する回転を最小にするために、該ドッグハウスの表面と接触するように構成された、
ことを特徴とするファスナ。
【請求項１４】
前記本体は、ドッグハウス係合部分に連結した傘部材を含み、
前記傘部材は、前記開口を流体密封するように構成された、
ことを特徴とする請求項１３に記載のファスナ。
【請求項１５】
前記ロック用部分は、前記開口と係合するように構成された歯を各々が形成する複数の変形可能部材を含むことを特徴とする請求項１３に記載のファスナ。
【請求項１６】
前記変形可能部材は、前記傘部材に連結されたことを特徴とする請求項１５に記載のファスナ。
【請求項１７】
前記変形可能部材は、楔状部分に連結されたことを特徴とする請求項１５に記載のファスナ。
【請求項１８】
前記係合表面は、ドッグハウスに形成された三角形挿入スロットと連結するように構成されたことを特徴とする請求項１３に記載のファスナ。
【請求項１９】
前記三角形係合部材は、一対の平坦な支持表面を有することを特徴とする請求項１８に記載のファスナ。
【請求項２０】
前記係合部分は、ドッグハウスによって形成された開口と連結するように構成された円筒体を形成することを特徴とする請求項１３に記載のファスナ。
【請求項２１】
前記ドッグハウス係合部分は、傘部分に連結されたことを特徴とする請求項２０に記載のファスナ。
【請求項２２】
前記ロック用部分は、複数の変形可能フランジを形成する楔状部材であることを特徴とする請求項２０に記載のファスナ。
【請求項２３】
前記本体部分は、前記開口内へのファスナの挿入を制限するように構成された支持部材を含むことを特徴とする請求項２０に記載のファスナ。
【請求項２４】
前記傘は、ほぼ楕円形の基部及び楕円形の変形可能部分を形成することを特徴とする請求項２０に記載のファスナ。
【請求項２５】
ドッグハウス係合形態を有する構成要素を開口に連結するためのファスナであって、
開口と嵌合するように構成されたロック用部分と、ドッグハウス係合部分とを有する本体部分、
を含み、
前記本体は、ドッグハウス係合部分と連結するように構成された傘部材を含み、
前記傘部材は、前記開口を流体密封するように構成され、
前記ドッグハウス係合部分は、前記本体部分に連結した三角形係合部材と一対の係合表面とを含み、
前記係合表面の少なくとも一方は、前記本体の前記ドッグハウスに対する回転を最小にするために、該ドッグハウスの表面と接触するように構成された、
ことを特徴とするファスナ。
【請求項２６】
前記ロック用部分は、前記開口と係合するように構成された歯を各々が形成する複数の変形可能部材を含むことを特徴とする請求項２５に記載のファスナ。
【請求項２７】
前記変形可能部材は、前記傘部材に連結されたことを特徴とする請求項２６に記載のファスナ。
【発明の詳細な説明】
【技術分野】
【０００１】
関連出願
本出願は、２００３年６月６日申請の米国特許仮出願第６０／４７６，７４５号の恩典を請求する。上記出願の開示内容は、本明細書において引用により組み込まれる。
【０００２】
本発明は、一般的に弾性クリップファスナに関し、より具体的には、弾性クリップの本体部分を構造体に固定する弾性クリップファスナに関する。より詳細には、本発明は、トリム構成要素のドッグハウス型取付け形態に連結するようになった嵌合部分を備えるプラスチック本体部分を利用する構成を有する弾性クリップファスナに関する。
【背景技術】
【０００３】
現在の多くの車両は、様々な構成要素を車体に固定するのに弾性クリップを使用する。このような用途の１つは、シルプレート成形品上のような車両の内部に取り付ける内部パネルに関連する。このようなパネルは、車両の乗降の際に乗員が踏む便利な場所をもたらすだけでなく、水、ホコリ、及び騒音の浸入を密封する機能も提供するのに役立つ。
【０００４】
車両の組立の際に、車両が組立ラインを移動する間に車両の外部からシルプレートパネルを設置するのが従来の手順である。この作業は、２ドア又は４ドア乗用車のいずれの車両でも共通である。
【０００５】
この組立作業を達成するために、シルプレートアセンブリは、シルプレートパネルアセンブリの長さに沿って配置された多くのファスナを一般的に装備する。ファスナは、車両内部の補強板金部材に位置する対応する穴を貫通するようになっている。ラインオペレータの仕事は、パネルアセンブリを車両内部に隣接して正しく向きを合わせ、補強板金部材の様々な取付け穴にファスナを押し込んでパネルアセンブリを車両内部に固定することである。
【０００６】
美観的な理由から、パネルファスナは、パネルアセンブリの設置後に車両内部から見えないように、通常は何らかの方法でパネルの裏側に固定される。その結果、多くの場合に、パネルの反対側の目に見える表面側から、ファスナを穴に押し込む前に指で取付け穴の位置をやみくもに「感じる」ことがラインオペレータの責務となる。
【０００７】
ファスナとその対応する取付け穴との間に生じる可能性がある僅かなズレにより、一部のファスナは、板金に正しく着座して固定することができない場合がある。これらの着座の問題は、矩形の穴に対してファスナが回転することから起こることが多く、これは、トリム構成要素を本体へ容易に固定することを基本的に妨げる。
【０００８】
【特許文献１】米国特許仮出願第６０／４７６，７４５号
【発明の開示】
【発明が解決しようとする課題】
【０００９】
従って、設置する力が比較的小さく取り外す力が比較的大きい、ズレの問題に比較的より寛容な改良型ファスナに対する必要性が当業技術に依然として存在する。理想的には、ファスナは、製造にあまり費用がかからず、確実なものであって取付けが簡単でなければならない。更に、ファスナは、特に、振動及びこのようなファスナにしばしば関連する付随の騒音問題を最小にする方法で構造体を互いに固定するようになっているべきである。
【課題を解決するための手段】
【００１０】
好ましい一形態において、本発明は、トリム構成要素のドッグハウス連結形態と係合する弾性クリップ、及び本体パネルに形成された穴と係合する嵌合部材を提供する。弾性クリップは、連結領域を有する本体部分、及び連結領域に対して配置された三角形の嵌合形態を含む。三角形の嵌合形態は、ドッグハウス構造体の少なくとも１つの表面に接し、ドッグハウスに対する弾性クリップの回転を防ぐ。これは、本体パネルに形成された穴に対する弾性クリップの回転を低減する。嵌合部材は、取付け穴の側面と係合するように構成された一対の締結部材を有する。
【００１１】
本発明の更なる利点及び特徴は、添付図面と共に以下の説明及び特許請求の範囲から明らかになるであろう。
【発明を実施するための最良の形態】
【００１２】
図１から図６を参照すると、本発明によるファスナ２０が開示されている。ファスナ２０は、ドッグハウス係合部分２４を有するトリム構成要素２３と係合するプラスチック本体部分２２で形成される。ドッグハウス係合部分２４と一体となっているのは、ドッグハウス係合部分２４の嵌合表面２９と係合するのに用いられる、当接フランジ２８に配置された一対の係合表面２６及び２７である。更に、本体部分２２は、３つの固定部材３６、３８、及び４０の二組３２及び３４によって形成された嵌合部分３０を有する。３つの固定部材３６、３８、及び４０の二組３２及び３４は、傾斜した又は楔状部材４４によって近位端４２で互いに連結される。３つの固定部材３６、３８、及び４０の二組３２及び３４はまた、密封傘部分４８によって遠位端４６で互いに連結される。３つの固定部材３６、３８、及び４０の各々は、プラスチック本体部分２２の板金構造体５１への連結を容易にする歯状の保持スナップ５０を形成する。
【００１３】
傘部分４８は、板金構造体５１の取付け穴５３を密封する機能があり、ほぼ楕円形の変形可能部分５５によって取り囲まれた楕円形平面部分４９で形成される。歯５０は、この変形可能楕円部分を板金５１上に引っ張るように構成される。遠位端４６に連結して密封傘部分４８に配置されているのは、ファスナ２２をドッグハウスと横方向に結合する機能を有するドッグハウス係合部分２４の保持フランジ５２である。
【００１４】
一般的に、ドッグハウス係合部分２４の当接フランジ２８は、三角形当接フランジ部材２８の側面で形成される。三角形当接フランジ部材２８は、一対の平面係合表面２６及び２７で形成される。平面係合表面２６及び２７は、ドッグハウス係合部分２４のドッグハウスへの挿入を容易にするドッグハウスに形成された三角形挿入スロット６２と係合するか又は接触するように構成される。
【００１５】
傘領域の下面に配置されるのは、一対の係合部材６４及び６６である。係合部材６４は、密封傘部分４８の下面６９とほぼ垂直である。任意選択的に、これらの係合部材６４は、板金構造体に対するファスナの回転を防ぐために、板金構造体に形成された開口に係合することができる。図１から図３は、板金構造体の開口の表面に当接する丸い表面６５を有するｔ字形係合部材６４を示す。図４から図６は、楕円形係合部材６６を示す。係合部材６６は、本体パネル表面から所定の距離に係合プラスチックファスナ２０を立てるように機能する。
【００１６】
図１から図４で全体的に参照するのは、プラスチック本体部分２２に連結されたドッグハウス係合部分２４の図である。ドッグハウス係合部分２４は、ほぼ円筒形状の部材６８を有し、かつ保持フランジ５２を有する。保持フランジ５２は、トリム構成要素のドッグハウスの内部表面と係合する表面７０を有する。ほぼ円筒形状の部材６８は、ドッグハウスの傾斜した挿入面の間に係合部分を誘導するように機能する円形外面７２を有する。円形外面７２は、更に、ドッグハウス内に形成された円形開口と嵌合してその横方向の離脱を防ぐように機能する。ドッグハウス係合部分２４は、三角形フランジ部材２８を円筒形連結部材７２に堅く結合するように構成された結合フランジ７４を含む。
【００１７】
図７に見られるように、ドッグハウス８０は、ドッグハウス保持部材８２の変位を可能にする上部鍵穴スロット７６を形成する。ドッグハウスは、円筒形状部材６８よりも僅かに直径が大きい円形開口８４を形成する。三角形挿入スロット６２は、ドッグハウス８０の嵌合表面２９の間に形成される。係合表面２６及び２７のいずれも、嵌合表面２９の１つに接触することができる。これは、ファスナ２０の回転及び平行移動を最小限にする。
【００１８】
図８及び図９で示すように、本発明の別の実施形態によるファスナ１２０が開示されている。ファスナ１２０は、ドッグハウス係合部分１２４を有するプラスチック本体部分１２２で形成される。ドッグハウス係合部分１２４と一体化されているのは、当接フランジ２８上に配置された対になった係合表面２６及び２７であり、これらは、ドッグハウス係合部分１２４の表面と係合するのに用いられている。更に、本体部分１２２は、３つの固定部材３６、３８、及び４０の二組１３２及び１３４で形成されたロック用部分１３０を有する。３つの固定部材３６、３８、及び４０の二組１３２及び１３４は、傾斜した又は楔状の部材４４によって近位端４２で互いに連結される。３つの固定部材３６、３８、及び４０の二組１３２及び１３４はまた、遠位端４６で密封傘部分４８によって互いに連結される。３つの固定部材３６、３８、及び４０の各々は、プラスチック本体部分２２の板金構造体５１への連結を容易にする歯状の保持スナップ５０を形成する。ドッグハウス係合部分１２４は、蓋フランジ５２のない円筒体１２６である。
【００１９】
以上の内容は、本発明の例示的な実施形態を開示して説明したものである。当業者は、このような説明、添付図面、及び特許請求の範囲から、本発明の精神及び範囲から逸脱することなく様々な変更、修正、及び変形を行うことができることを容易に認識するであろう。
【図面の簡単な説明】
【００２０】
【図１】本発明により作製されたファスナの正面図である。
【図２】図１のファスナの側面図である。
【図３】構造体の間隔をより詳細に示す図１のファスナの上面図である。
【図４】本発明の代替実施形態により作製されたファスナの正面図である。
【図５】図４のファスナの側面図である。
【図６】構造体の間隔をより詳細に示す図５のファスナの上面図である。
【図７】本発明よるファスナと係合するように構成されたドッグハウス取付け形態を有するトリム構成要素の斜視図である。
【図８】本発明による別のファスナの斜視図である。
【図９】図８に示すファスナの上面図である。
【符号の説明】
【００２１】
２０  ファスナ
２４  ドッグハウス係合部分
２８  当接フランジ
３６、３８、４０  ３つの固定部材
４４  傾斜又は楔状部材
４８  密封傘部分
【図１】
2005003201.tif 000003
【図２】
2005003201.tif 000004
【図３】
2005003201.tif 000005
【図４】
2005003201.tif 000006
【図５】
2005003201.tif 000007
【図６】
2005003201.tif 000008
【図７】
2005003201.tif 000009
【図８】
2005003201.tif 000010
【図９】
2005003201.tif 000011